(57)【特許請求の範囲】
【請求項１】
監視対象に関する情報をセンシングにより取得し、第一のネットワークへ前記情報を送出する端末と、
第二のネットワークに接続され、前記監視対象を管理する情報処理装置と、
前記第一のネットワークに接続する第一通信部と、前記第二のネットワークに接続する第二通信部と、制御部と、メモリとを備える通信装置と、を有し、
前記通信装置のメモリは、前記情報処理装置へ送出する情報の優先度を管理する優先度指定テーブルを有し、
前記通信装置の制御部は、
前記情報を複数の前記端末から集約し、
前記集約した情報に基づき、情報記録テーブルを作成し、
前記情報記録テーブルで管理される情報が、警告条件を満たすかどうか判定し、
前記第二のネットワークの品質が高い場合、全ての優先度に対応する情報を、前記第二のネットワークを介して前記情報処理装置へ送出し、
前記第二のネットワークの品質が高くない場合、前記警告条件を満たすと判定されて優先度を高く指定された情報を、前記第二のネットワークを介して前記情報処理装置に送出する
ことを特徴とするモニタリングシステム。
【請求項２】
請求項１に記載のモニタリングシステムであって、
前記情報処理装置は、前記第二のネットワークの通信状況を測定し、前記通信装置に対して前記測定した通信状況を通知し、
前記通信装置は、測定した前記通信状況のサイズＲで送出可能な情報を優先度が高い順に選択する、
ことを特徴とするモニタリングシステム。
【請求項３】
請求項１に記載のモニタリングシステムであって、
前記通信装置が前記第二のネットワークの通信状況を測定し、測定した前記通信状況のサイズＲで送出可能な情報を優先度が高い順に選択する、
ことを特徴とするモニタリングシステム。
【請求項４】
請求項１に記載のモニタリングシステムであって、
前記端末は、
前記センシングを行うセンサを有し、
前記複数のセンサの一部ないしは全てが属する１ないしは複数のグループを作成し、
前記通信装置は、
前記複数のグループごとに、前記グループに含まれる前記端末から集約した情報に基づき、前記グループの代表値を作成する統計処理をし、
前記グループの代表値と以前の前記グループの代表値とに基づき、前記グループの変動値を作成し、
前記情報記録テーブルとして、前記グループ毎に前記グループの代表値と前記グループの変動値とを管理するグループ情報記録テーブルを作成し、
前記グループ情報記録テーブルで管理される情報が、警告条件を満たすかどうか判定する
ことを特徴とするモニタリングシステム。
【請求項５】
請求項４に記載のモニタリングシステムであって、前記１ないしは複数のグループは、前記複数のセンサの位置情報に基づいて作成することを特徴とするモニタリングシステム。
【請求項６】
請求項４に記載のモニタリングシステムであって、前記１ないしは複数のグループはモニタリングシステムの動作開始時に前記通信装置及び前記情報処理装置に設定することを特徴とするモニタリングシステム。
【請求項７】
請求項４に記載のモニタリングシステムであって、前記１ないしは複数のグループは前記情報処理装置が作成し、前記第二のネットワークを通じて前記通信装置に対して設定することを特徴とするモニタリングシステム。
【請求項８】
請求項１に記載のモニタリングシステムであって、前記通信装置は、前記センシングした情報の値範囲に基づいて前記警告条件を満たすかどうかを判断することを特徴とするモニタリングシステム。
【請求項９】
請求項１に記載のモニタリングシステムであって、前記通信装置は、前記センシングした情報の値の変動に基づいて前記警告条件を満たすかどうかを判断することを特徴とするモニタリングシステム。
【請求項１０】
請求項１に記載のモニタリングシステムであって、前記通信装置は、前記複数のセンサのセンシングした情報の値の相互関係に基づいて前記警告条件を満たすかどうかを判断することを特徴とするモニタリングシステム。
【請求項１１】
請求項１に記載のモニタリングシステムであって、前記通信装置は、前記複数の通信端末と前記通信装置との間の通信状況に基づいて前記警告条件を満たすかどうかを判断することを特徴とするモニタリングシステム。
【請求項１２】
通信装置であって、複数の通信端末からセンサによるセンシング結果を第一のネットワークを介して集約する集約部と、
複数の通信端末から集約した情報に基づき、情報記録テーブルを作成する記録部と、
送出する情報の優先度を管理する優先度指定テーブルと、
前記情報記録テーブルで管理される情報が、警告条件を満たすかどうか判定する判定部と、
前記判定部による判定結果と第二のネットワークの通信状況とから、送出する情報を選択する選択部と、
前記選択された情報を前記第二のネットワークを経由して管理センタに対して送出する送出部とを有し、
前記選択部は、
前記第二のネットワークの品質が高い場合、全ての優先度に対応する情報を、送出する情報として選択し、
前記第二のネットワークの品質が高くない場合、前記警告条件を満たすと判定されて優先度を高く指定された情報を、送出する情報として選択する
ことを特徴とする通信装置。
【請求項１３】
請求項１２に記載の通信装置であって、複数の前記第一のネットワークとに接続される、ことを特徴とする通信装置。
【請求項１４】
監視対象に対してセンシングを行う複数の端末と第一のネットワークを介して接続され、前記監視対象を管理する情報処理装置と第二のネットワークを介して接続される通信装置における通信制御方法であって、
前記センシングによる前記監視対象に関する情報を複数の前記端末から集約し、
前記集約した情報に基づき、情報記録テーブルを作成し、
前記情報処理装置へ送出する情報の優先度を管理し、
前記情報記録テーブルで管理される情報が、警告条件を満たすかどうか判定し、
前記第二のネットワークの品質が高い場合、全ての優先度に対応する情報を、前記第二のネットワークを介して前記情報処理装置へ送出し、
前記第二のネットワークの品質が高くない場合、前記警告条件を満たすと判定されて優先度を高く指定された情報を、前記第二のネットワークを介して前記情報処理装置に送出する、
ことを特徴とする通信制御方法。
【発明の詳細な説明】
【技術分野】
【０００１】
本発明は、モニタリングシステム、通信装置、及びその通信制御方法に関し、特に、複数のネットワーク間に接続される通信装置及びその通信制御方法に関する。
【背景技術】
【０００２】
近年、ボイラーや火力タービンといった設備監視や保守、エネルギー消費のモニタリングを現場から離れたセンタ側から遠隔で行いたいという需要が高まっている。このようなモニタリングシステムの末端に設備されるセンサや監視カメラのデータは、全てセンタへ集約し、一元管理するのが理想である。しかし、センサやカメラの台数が増加するにつれて、ネットワークの伝送可能なトラフィック容量の関係から、常時全てのデータをセンタへ集約することが困難になってきている。
【０００３】
このような現状に対応するため、例えば特許文献１においては、カメラからの画像データの転送・表示の優先度を制御する技術を開示している。
【先行技術文献】
【特許文献】
【０００４】
【特許文献１】特開２００９−１７１４７１号公報
【発明の概要】
【発明が解決しようとする課題】
【０００５】
上述の全データ集約の困難性の要因としては、次の要因が考えられる。  
・カメラの動画像等、データレートの高い端末が増え、端末台数も年々増加するため、ネットワーク内で生成されるデータの総容量が、ネットワークで伝送可能なトラフィック容量（通常、イーサネット（登録商標）で、１００Ｍ〜１０Ｇｂｐｓ程度）を超えてしまう。  
・ネットワーク端末数の増加により総トラフィック量の平均値と最大値の差異が大きく、ワースト条件でネットワークを設計するとオーバースペックになる。  
・ネットワークにインターネット等の公衆網を利用する場合、同一ネットワーク配下で発生するトラフィック量が予想できない。  
・特に無線を利用する場合、電波伝搬状況により伝送可能な容量が変動する。
【０００６】
さらに、ネットワークのトラフィック容量が足りていても、有料のネットワーク（特に従量課金制のもの）を利用する場合は、通信費用を必要最低限に抑えたいとのニーズもある。
【０００７】
上述のようにネットワークのトラフィック容量が足りない、或いは変動するため、常時全てのデータをセンタに集約することができない場合、例えば、監視対象があるローカルネットワークとセンタがある広域ネットワークの間を接続する通信装置では、
・ネットワークのワースト条件でも通信可能な量まで各センサ端末のデータを圧縮しセンタへ送信する
・優先度の高いセンサ端末のデータのみを選択しセンタへ送信する
といった方法が考えられる。一方センタでは、受信したセンサデータに対し、統計処理やアラーム判定処理を行い、監視員がその結果を分析することにより、監視対象の状態を把握する。
【０００８】
しかし、前述の方法のうち前者の場合、センタでは、受信した各センサデータの圧縮率が高いと、十分な精度の統計処理結果を得られず、監視対象の状況を正しく判断することができない可能性がある。後者の場合、優先度の高いセンサ端末の数が多いと、通信装置はその中の一部の端末のデータしか送信することができない。そのため、センタは一部の端末のアラーム判定処理結果しか得られず、やはり監視対象の状況を正しく判断することができない可能性がある。
【０００９】
本発明の目的は、ネットワークの容量を十分に活用しつつ、ネットワーク容量の不足時及び変動時にもアラーム判定処理に必要なデータ通信を確保するモニタリングシステム、及び当該モニタリングシステムのための通信装置、及びその通信制御方法を提供することにある。
【課題を解決するための手段】
【００１０】
上述した種々の課題の少なくとも一を解決するために、本発明のモニタリングシステムは、複数の通信端末が接続される第一のネットワークと管理センタが接続される第二のネットワークとに接続される通信装置であって、通信装置は、前記複数の通信端末に接続された、複数のセンサにより、監視対象の周辺状況をセンシングしたデータを第一のネットワークを経由して収集し、処理を行った後に、第二のネットワークを経由して情報処理装置へと送出する、という態様である。
【００１１】
さらに、通信装置は、複数の通信端末から収集したデータを基にアラーム検出及びアラーム状況に応じたデータ統計処理を行い、前記アラーム状況と、第一のネットワークであるローカルネットワークの通信状況と、第二のネットワークである広域ネットワークの通信状況とから、情報処理装置に送出するデータを選択する、という態様である。
【発明の効果】
【００１２】
本発明によれば、モニタリングシステムにおいてネットワークの容量を十分に活用しつつ、ネットワーク容量の不足時及び変動時にもアラーム判定処理に必要なデータ通信を確保することができる。
【図面の簡単な説明】
【００１３】
【図１】本発明の実施例に係るモニタリングシステムの全体構成図である。
【図２】本発明の実施例に係るネットワーク相互接続装置の機能ブロック図である。
【図３】センサ測定情報を示す図である。
【図４】センサデータ記録テーブルに保持される情報を示す表である。
【図５】最新センサデータ記録テーブルに保持される情報を示す表である。
【図６】個別警告条件テーブルに保持される情報を示す表である。
【図７】個別警告判定結果テーブルに保持される情報を示す表である。
【図８】個別アラーム検出部における個別アラーム検出処理の流れの一例である。
【図９】グループ情報テーブルに保存される情報を示す表である。
【図１０】グループセンサデータ記録テーブルに保存される情報を示す表である。
【図１１】グループセンサデータ記録部におけるグループセンサデータ記録処理の流れの一例である。
【図１２】グループ警告条件テーブルに保存される情報を示す表である。
【図１３】グループ警告判定結果テーブルに保存される情報を示す表である。
【図１４】グループアラーム検出部におけるグループアラーム検出処理の流れの一例である。
【図１５】優先度指定テーブルに保存される情報を示す表である。
【図１６】フィルタ選択部におけるフィルタ選択処理の流れの一例である。
【図１７】グループ警告関連報告情報を示す図である。
【図１８】個別警告関連報告情報を示す図である。
【図１９】最新センサ測定状況報告情報を示す図である。
【図２０】センサ時系列報告情報を示す図である。
【図２１】優先度指定テーブルに保存される情報の一例を示す表である。
【図２２】ネットワーク相互接続装置の別の構成例を示す図である。
【発明を実施するための形態】
【００１４】
以下、本発明の種々の実施形態を図面に従い説明する。
【００１５】
図１に第１の実施例に係る、モニタリングシステムの全体構成図を示す。本実施例におけるモニタリングシステムは、管理センタ１３０、広域ネットワーク１５０によって管理センタ１３０と接続される１ないしは複数のネットワーク相互接続装置１１０、及びローカルネットワーク１４０によってネットワーク相互接続装置１１０と接続される１ないしは複数の通信端末１２０からなる。管理センタ１３０によって、複数の通信端末１２０が取得する監視対象に関する情報を、ネットワーク相互接続装置１１０を介して取得し、監視対象を監視する。
【００１６】
通信端末１２０はセンサ及び通信インターフェースを有する。通信端末１２０は、センサを用いて測定したセンサ測定情報を、通信インターフェースを介してローカルネットワーク１４０を通じてネットワーク相互接続装置１１０へ通知する。また、通信端末１２０は、ローカルネットワーク１４０を通じたネットワーク相互接続装置１１０からの制御に応じて、センサ及び通信インターフェースのいずれかもしくは両方の動作を変更してもよい。ここで、センサとは、例えば温度センサや湿度センサ、加速度センサといった独立動作可能なセンサであり、またはGPSを用いた位置センサ等の外部からの信号入力を利用するセンサであり、または音声や静止画、動画を取得する監視装置のいずれかないしは組み合わせを指す。
【００１７】
ネットワーク相互接続装置１１０はローカルネットワーク通信インタフェースと広域ネットワーク通信インタフェースとを有し、ローカルネットワーク１４０と広域ネットワーク１５０とに接続する通信装置である。ネットワーク相互接続装置１１０は、ローカルネットワーク１４０を通じて通信端末１２０から通知されたセンサ測定情報を集約し、広域ネットワーク１５０を通じて管理センタ１３０に対して通知する。またネットワーク相互接続装置１１０は広域ネットワーク１５０を通じた管理センタ１３０からの制御に応じて、ネットワーク相互接続装置１１０の動作を変更してもよい。またネットワーク相互接続装置１１０は広域ネットワーク１５０を通じた管理センタ１３０からの制御に応じて、ローカルネットワーク１４０を通じて通信端末１２０の動作を変更してもよい。
【００１８】
管理センタ１３０は広域ネットワーク通信インターフェースを有し、広域ネットワーク１５０を通じてネットワーク相互接続装置１１０にて集約されたセンサ測定情報を受け取る情報処理装置である。管理センタ１３０は受け取ったセンサ測定情報を記憶する記憶装置、センサ測定情報を解析する解析装置、センサ測定情報を表示する表示装置のいずれかもしくは複数を持っても良い。また管理センタ１３０はネットワーク相互接続装置１１０及び通信端末１２０の一方もしくは両方の動作を制御しても良い。
【００１９】
ローカルネットワーク１４０は例えば物理層にＩＥＥＥ８０２．１５．４を用いたＰＡＮ（Ｐｅｒｓｏｎａｌ Ａｒｅａ Ｎｅｔｗｏｒｋ）であり、または例えば物理層にＩＥＥＥ８０２．１１やＩＥＥＥ８０２．３を用いたＬＡＮ（Ｌｏｃａｌ Ａｒｅａ Ｎｅｔｗｏｒｋ）であり、またはセルラ網であり、或いはそれらの組み合わせからなる無線ないしは有線のネットワークである。
【００２０】
広域ネットワーク１５０は例えば物理層にＩＥＥＥ８０２．１１やＩＥＥＥ８０２．３を用いたＬＡＮであり、または例えば物理層にＩＥＥＥ８０２．１６を用いたＭＡＮ（Ｍｅｔｒｏｐｏｌｉｔａｎ Ａｒｅａ Ｎｅｔｗｏｒｋ）であり、またはセルラ網であり、或いはそれらの組み合わせからなる無線ないしは有線のネットワークである。
【００２１】
図２に本実施例のモニタリングシステムにおける、ネットワーク相互接続装置の構成の一例を示す。本実施例におけるネットワーク相互接続装置は、ネットワーク相互接続装置制御部２００、ローカルネットワーク通信部２０１、広域ネットワーク通信部２０２、ネットワーク品質判定部２０３、センサデータ記録部２１１、最新センサデータ抽出部２１２、個別アラーム検出部２１３、グループセンサデータ記録部２１４、グループアラーム検出部２１５、フィルタ選択部２２１、及びフィルタ部２２２を有する。
【００２２】
ネットワーク相互接続装置制御部２００はネットワーク相互接続装置の各部にて使用するパラメータを保持し、各部から制御情報を受け取り、各部に対して制御情報及びパラメータを提供し、また各部の動作タイミングを制御する。
【００２３】
ローカルネットワーク通信部２０１は、ローカルネットワーク１４０を介して１ないしは複数の通信端末１２０と通信を行う。通信端末１２０からネットワーク相互接続装置１１０に対して送信されたセンサ測定情報はローカルネットワーク通信部２０１において受信され、センサデータ記録部２１１に渡される。
【００２４】
図３はセンサ測定情報を示す図である。センサ測定情報は図３Ａのように通信端末ＩＤ３００及びセンサ値３０１を含む。通信端末ＩＤ３００は通信端末を識別するための値である。センサ値３０１は通信端末のセンサを用いて測定したスカラ値あるいはベクトル値であり、例えば温度、湿度、圧力、加速度、位置、流量等の値の一つないしは複数の組み合わせからなる。
【００２５】
またセンサ測定情報は図３Bのように、通信端末ＩＤ３００及びセンサ値３０１に加え、時刻情報３０２を含んでも良い。時刻情報３０２はセンサが測定を行った時刻、或いは通信端末がセンサ測定情報を送信した時刻を表す値である。
【００２６】
広域ネットワーク通信部２０２は、広域ネットワーク１５０を介して管理センタ１３０と通信を行う。広域ネットワーク通信部２０２は管理センタ１３０に対して報告すべき情報をフィルタ部２２２から受け取り、広域ネットワーク１５０を通じて管理センタ１３０に対して送信する。また広域ネットワーク通信部２０２は管理センタ１３０から個別警告条件テーブルやグループ情報テーブル、グループ警告条件テーブル、優先度指定テーブル等のネットワーク相互接続装置の動作のために必要な情報を受け取り、ネットワーク相互接続装置制御部２００に対して通知しても良い。また広域ネットワーク通信部２０２は広域ネットワーク１５０を介した通信に関する情報を収集し、ネットワーク品質判定部２０３に通知する。また広域ネットワーク通信部２０２は管理センタ１３０に対して送信した情報に関する受信応答を受け取り、ネットワーク相互接続装置制御部２００に対して通知しても良い。また広域ネットワーク通信部２０２は管理センタ１３０から送信信号指示を受け取り、フィルタ選択部２２１に通知する。
【００２７】
ネットワーク品質判定部２０３は、広域ネットワーク通信部２０２から受け取った広域ネットワーク１５０を介した通信に関する情報を元にネットワークの品質を判定し、フィルタ選択部２２１に対してネットワーク品質値を通知する。ネットワーク品質値とは、ネットワーク品質判定部２０３が判定したネットワークの品質と正の相関を持つ値である。ある状況におけるネットワーク品質Ａよりも、別の状況におけるネットワーク品質Ｂが高い品質であると判断する場合、ネットワーク品質Ａに対応するネットワーク品質値よりもネットワーク品質Ｂに対応するネットワーク品質値は小さい値を取る。
【００２８】
ネットワーク品質判定部２０３では、例えば広域ネットワーク１５０を通じた管理センタ１３０からの応答時間が短いほど、ネットワーク品質が高いと判断する。あるいは例えば管理センタ１３０からネットワーク品質が高いと通知されるほど、ネットワーク品質が高いと判断する。あるいは例えば広域ネットワーク通信部２０２が信号の送信を開始してから信号の送信を終了するまでの時間が短いほど、ネットワーク品質が高いと判断する。あるいは例えば信号送信のためのバッファに蓄積される信号量が少ないほどネットワーク品質が高いと判断する。あるいは例えば信号送信のためのバッファにおける信号の滞留時間が短いほどネットワーク品質が高いと判断する。
【００２９】
センサデータ記録部２１１は、センサデータ記録テーブル４１０を有し、ローカルネットワーク通信部２０１から渡された各センサからのセンサ測定情報を、必要に応じて時刻情報を付加してセンサデータ記録テーブルに蓄積する。センサデータ記録部２１１はまた、フィルタ部２２２や最新センサデータ抽出部２１２からの要求に応じてセンサデータ記録テーブル内の情報を要求元に対して出力する。
【００３０】
図４は本実施例におけるセンサデータ記録テーブルに保持される情報を示す表である。センサデータ記録テーブルには、通信端末ＩＤ４００及び通信端末ＩＤ４００毎に複数、例えばＮｔ個の時刻情報４０１、センサ値情報４０２、送信状況４０３が記録される。通信端末ＩＤ４００はローカルネットワーク通信部２０１において受信されたセンサ測定情報の通信端末ＩＤ３００に相当する。同様にセンサ値情報４０２はセンサ測定情報のセンサ値３０１に相当する。時刻情報４０１はセンサ測定情報の時刻情報３０２あるいはネットワーク相互接続装置が当該センサ測定情報を受信した時刻を表す情報である。送信状況４０３はネットワーク相互接続装置が管理センタに対して当該センサ測定情報を送信したか否かを示す情報である。送信状況４０３は当該センサ測定情報がセンサデータ記録テーブルに記録された時点で未送信を表す値、例えば０に設定される。また送信状況４０３はネットワーク相互接続装置制御部２００からの指示に応じて送信済みを表す値、例えば１に設定される。なお、通信端末ＩＤ毎のデータ数Ｎｔを超えるデータをセンサデータ記録テーブルに保持する場合には、例えば時刻情報４０１が古い順にデータを削除する、あるいは送信状況４０３が送信済みを表しているデータを削除する。
【００３１】
最新センサデータ抽出部２１２は、最新センサデータ記録テーブル５１０を有し、センサデータ記録部２１１から得たセンサデータを基に周期的に最新センサデータを作成し、最新センサデータ記録テーブルを作成する。最新センサデータ抽出部２１２はまた、フィルタ部２２２や個別アラーム検出部２１３、グループセンサデータ記録部２１４からの要求に応じて最新センサデータ記録テーブル内の情報を要求元に対して出力する。
【００３２】
図５は最新センサデータ記録テーブル５１０に保持される情報を示す表である。最新センサデータ記録テーブルには、通信端末ＩＤ５００、最新センサ値情報５０１、差分センサ値情報５０２、無更新継続情報５０３が含まれる。通信端末ＩＤ５００はセンサデータ記録テーブルにおける通信端末ＩＤ４００に相当する。最新センサ値情報５０１はの最新センサデータ抽出部の動作時点における当該通信端末の直近のセンサデータを示す情報であり、例えばセンサデータ記録テーブルから時刻情報４０１が最も新しいセンサ値情報４０２を抽出した値である。あるいは例えばセンサデータ記録テーブルから時刻情報４０１が前回の最新センサデータ抽出部の動作時点以降のセンサ値情報４０２を全て抽出し、平均化した値である。
【００３３】
差分センサ値情報５０２は最新センサデータ抽出部の動作時点における当該通信端末のセンサ値の変動を示す情報であり、例えば最新センサ値情報５０１と、前回の最新センサデータ抽出部の動作時点における最新センサ値情報５０１との差分である。無更新継続情報５０３は通信端末ＩＤ５００の最新センサ値情報５０１の更新状況を示す情報である。最新センサデータ抽出部によって最新センサ値情報５０１が更新された場合、無更新継続情報５０３は更新有りを示す値、例えば０に設定される。前回の最新センサデータ抽出部の動作時点から当該通信端末ＩＤのセンサ値情報４０２に追加が無く、最新センサ値情報５０２が更新されない場合などには無更新継続情報５０３は無更新の継続を示すように、例えば値を１増加する。
【００３４】
図２に戻り、個別アラーム検出部２１３は、個別警告判定結果テーブル７１０を有し、個別アラーム検出処理を行う。個別アラーム検出処理はネットワーク相互接続装置制御部２００から受け取った個別警告条件テーブル６１０の個別警告条件それぞれについて、最新センサデータ抽出部から得た最新センサデータをもとに条件判定を行い、判定結果から個別警告判定結果テーブル７１０を作成する。個別アラーム検出部２１３はまた、フィルタ部２２２やグループアラーム検出部２１５からの要求に応じて個別警告判定結果テーブル７１０内の情報を要求元に対して出力する。
【００３５】
図６は個別警告条件テーブル６１０に保持される情報を示す表である。個別警告条件テーブルには、警告条件ＩＤ６００、警告条件情報６０１、警告関連値指定情報６０２が含まれる。警告条件ＩＤ６００は警告条件毎に付与された番号である。警告条件情報６０１は個別アラーム検出部２１３が警告の判定に用いるための警告条件である。
【００３６】
警告条件とは、例えば最新センサ値が一定範囲内であること、最新センサ値が一定範囲外であること、差分センサ値が一定範囲内であること、差分センサ値が一定範囲外であること、無更新継続情報が一定範囲内であること、無更新継続情報が一定範囲外であること、最新センサ値と差分センサ値との差或いは比が一定範囲内であること、最新センサ値と差分センサ値との差或いは比が一定範囲外であることなどである。警告関連値指定情報６０２は個別アラーム検出部２１３によって警告条件を満たすと判定された場合に個別警告判定結果として記録するデータを指定する情報である。例えば最新センサ値、差分センサ値、無更新継続情報のいずれかあるいは組み合わせである。なお、個別警告条件テーブル６１０の内容はネットワーク相互接続装置の初期化時に設定されても良いし、広域ネットワークを通じて管理センタから設定されても良い。
【００３７】
図７は個別警告判定結果テーブル７１０に保存される情報を示す表である。個別警告判定結果テーブルには、警告条件ＩＤ７００、警告判定端末数情報７０１、警告判定端末ＩＤ情報７０２、警告関連値情報７０３が含まれる。警告条件ＩＤ７００は個別警告条件テーブルの警告条件ＩＤ６００に対応する。警告判定端末数情報７０１は警告条件毎の、個別アラーム検出処理により検出された警告条件を満たした端末の数である。警告判定端末ＩＤ情報７０２は個別アラーム検出処理により、警告条件を満たしたと判断された端末のＩＤである。警告関連値情報７０３は個別アラーム検出処理により、警告条件を満たしたと判断された端末のセンサデータである。
【００３８】
図８は個別アラーム検出部２１３における個別アラーム検出処理の流れの一例である。個別アラーム検出処理では、まず処理８００において個別警告判定結果テーブルの初期化として、警告条件毎の警告判定端末数を０に設定し、警告判定端末情報及び警告関連値情報を削除する。次いで８０１から８０７まで、端末ＩＤであるｎ＝１からＮまで（Ｎは全端末数）、警告条件ＩＤであるｃ＝１からＣまで（Ｃは全警告条件数）についての繰り返し処理を行う。
【００３９】
繰り返し処理の内部ではまず処理８０２において、警告条件テーブルから警告条件ＩＤ＝ｃの警告条件及び最新センサデータ記録テーブルから通信端末ＩＤ＝ｎの最新センサデータとを取得する。次いで処理８０３において、処理８０２において取得した最新センサデータが同処理にて取得した警告条件を満足するか否かの判定を行い、警告条件を満足しない場合には警告条件ＩＤ＝ｃかつ通信端末ＩＤ＝ｎの繰り返し処理を終了する。処理８０３において警告条件を満足した場合、次いで処理８０４において個別警告判定結果テーブルの警告条件ＩＤ＝ｃの警告判定端末数に１を加算する。次いで処理８０５において、個別警告判定結果テーブルの警告条件ＩＤ＝ｃの警告判定端末情報に端末ＩＤ＝ｎを追記する。次いで処理８０６において、警告関連値指定情報ｃに従って警告関連値に最新センサデータを記載して、警告条件ＩＤ＝ｃかつ通信端末ＩＤ＝ｎの繰り返し処理を終了する。例えば警告関連値指定情報ｃが差分センサ値という指定であれば、最新センサデータのうち差分センサ値を警告関連値として記載する。
【００４０】
図２に戻り、グループセンサデータ記録部２１４は、グループセンサデータ記録テーブル１０１０を有し、ネットワーク相互接続装置制御部２００から受け取ったグループ情報テーブル９１０に基づいて、最新センサデータ抽出部２１２から得た最新センサデータをグループ化してグループセンサデータ記録テーブル１０１０を作成する。グループセンサデータ記録部２１４はまた、グループアラーム検出部２１５からの要求に応じてグループセンサデータ記録テーブル１０１０内の情報を要求元に対して出力する。
【００４１】
図９は、グループ情報テーブル９１０に保存される情報を示す表である。グループ情報テーブル９１０には、グループＩＤ９００、グループ通信端末数情報９０１、グループ通信端末リスト情報９０２が含まれる。グループＩＤ９００は各グループ毎のＩＤであり、グループ通信端末数情報９０１は各グループに属する通信端末数、グループ通信端末リスト情報９０２は各グループに属する通信端末のＩＤのリストである。
【００４２】
例えば通信端末ＩＤ＝ｎ１、ｎ２、ｎ３の通信端末がグループＩＤ＝gのグループに属する場合、グループＩＤ＝ｇのグループ通信端末数は３、グループ通信端末リストはｎ１、ｎ２、ｎ３となる。グループと通信端末とはどのような関係であってもよく、例えば全ての通信端末が属するグループがあっても良いし、１つの通信端末のみが属するグループがあっても良い。また、どのグループにも属さない端末があっても良いし、複数のグループに属する端末があっても良い。また例えば空間的に近い通信端末をまとめたグループや、環境が似た通信端末をまとめたグループ、あるいはランダムに通信端末を選択したグループ等があっても良い。なお、グループ情報テーブルの内容はネットワーク相互接続装置の初期化時に設定されても良いし、広域ネットワークを通じて管理センタから設定されても良い。
【００４３】
図１０は、グループセンサデータ記録テーブル１０１０に保存される情報を示す表である。グループセンサデータ記録テーブル１０１０には、グループＩＤ１０００、グループ無更新端末数情報１００１、グループ代表値情報１００２、グループ変動値情報１００３が含まれる。グループＩＤ１０００はグループ情報テーブルにおけるグループＩＤ９００に対応する。グループ無更新端末数情報１００１は当該グループに所属する通信端末のうち、所定の期間データが更新されていない通信端末の数を示す情報である。グループ代表値情報１００２は当該グループの統計的な性質を代表する値であり、例えば平均値や分散、最大値／最小値／中央値等の順位値、例えば最大値と中央値との差といったような順位値間の差分のいずれかもしくは組み合わせである。
【００４４】
グループ変動値情報１００３は当該グループの統計的な性質の変動を表す値であり、例えば最新の代表値と以前の代表値との差分または比である。あるいはグループ変動値情報１００３は最新の代表値と以前の代表値との差分または比と、最新の代表値との差分または比である。あるいはグループ変動値情報１００３は最新の代表値と以前の代表値とのＩＩＲを用いた平均値である。あるいはグループ変動値情報１００３は最新の代表値と以前の代表値とのＩＩＲを用いた平均値と、最新の代表値との差分または比である。
【００４５】
図１１は、グループセンサデータ記録部におけるグループセンサデータ記録処理の流れの一例である。グループセンサデータ記録処理では、まず処理１１００において、ネットワーク相互接続装置制御部２００からグループ情報テーブルを取得する。次いで１１０１から１１０６まで、グループＩＤであるｇ＝１からＧまで（Ｇは全グループ数）についての繰り返し処理を行う。
【００４６】
繰り返し処理の内部ではまず処理１１０２において、グループＩＤ＝ｇに属する全通信端末の最新センサデータを最新センサデータ抽出部２１２から取得する。次いで処理１１０３において、グループＩＤ＝ｇに属する全通信端末のうち、最新センサデータの無更新継続情報５０３が更新有りを示していない通信端末の数をカウントし、グループセンサデータ記録テーブルのグループＩＤ＝ｇに対応するグループ無更新端末数情報１００１に記載する。あるいは、処理１１０３では、グループＩＤ＝ｇに属する全通信端末のうち、最新センサデータの無更新継続情報５０３が所定期間以上の更新無しを示している通信端末の数をカウントし、グループセンサデータ記録テーブルのグループＩＤ＝ｇに対応するグループ無更新端末数情報１００１に記載しても良い。
【００４７】
次いで処理１１０４において、グループＩＤ＝ｇに属する全通信端末についての最新センサデータの最新センサ値５０１から統計処理を行って代表値を作成し、グループセンサ記録テーブルのグループＩＤ＝ｇに対応するグループ代表値情報１００２に記載する。ここで代表値とは例えば平均値や分散、最大値／最小値／中央値等の順位値、例えば最大値と中央値との差等の順位値間の差分のいずれかもしくは組み合わせである。なお、統計処理を行う対象としては、グループＩＤ＝ｇに属する全通信端末ではなく、グループＩＤ＝ｇに属する通信端末のうち、最新センサデータの無更新継続情報５０３が更新有りを示している通信端末のみとしてもよい。
【００４８】
次いで処理１１０５において、処理１１０４において作成した代表値と、処理１１０４を行う前にグループ代表値情報１００２に記載されていた代表値とから変動情報を作成し、グループＩＤ＝ｇに対応するグループ変動値情報１００３を記載して、グループＩＤ＝ｇの繰り返し処理を終了する。変動情報とは、例えば処理１１０４において作成した代表値と、処理１１０４を行う前にグループ代表値情報１００２に記載されていた代表値との差または比である。あるいは変動情報とは処理１１０４を行う前にグループ代表値情報１００２に記載されていた代表値との差または比と、処理１１０４において作成した代表値との差または比である。あるいはグループ代表値情報１００２に記載されていた代表値と処理１１０４において作成した代表値とのＩＩＲを用いた平均値である。あるいはグループ代表値情報１００２に記載されていた代表値と処理１１０４において作成した代表値とのＩＩＲを用いた平均値と、処理１１０４において作成した代表値との差または比である。以上が、図１１の説明である。
【００４９】
図２に戻り、グループアラーム検出部２１５は、グループ警告判定結果テーブル１３１０を有し、グループアラーム検出処理を行う。グループアラーム検出処理はネットワーク相互接続装置制御部２００から受け取ったグループ警告条件テーブル１２１０に含まれるグループ警告条件それぞれについて、ネットワーク相互接続装置制御部２００から受け取ったグループ情報テーブル９１０、個別アラーム検出部２１３から得た個別警告判定結果、及びグループセンサデータ記録部２１４から得たグループセンサデータをもとに条件判定を行い、判定結果からグループ警告判定結果テーブルを作成する。グループアラーム検出部２１５はまた、フィルタ部２２２やフィルタ選択部２２１からの要求に応じてグループ警告判定結果テーブル内の情報を要求元に対して出力する。
【００５０】
図１２は、グループ警告条件テーブル１２１０に保存される情報を示す表である。グループ警告条件テーブルには、グループ警告条件ＩＤ１２００、グループ警告条件情報１２０１、グループ警告関連値指定情報１２０２、条件対応グループリスト情報１２０３が含まれる。グループ警告条件ＩＤ１２００は警告条件毎に付与された番号である。グループ警告条件情報１２０１はグループアラーム検出部２１５が警告の判定に用いるための警告条件である。警告条件には大別してグループセンサデータに関連する条件と個別警告判定結果に関する条件の2通りの条件がある。グループセンサデータに関する条件とは、例えばグループ無更新端末数が一定範囲内であること、グループ無更新端末数が一定範囲外であること、グループ代表値が一定範囲内であること、グループ代表値が一定範囲外であること、グループ変動値が一定範囲内であること、グループ変動値が一定範囲外であること等のいずれかあるいは組み合わせである。個別警告判定結果に関する条件とは、例えば個別警告条件の警告条件ＩＤ＝ｃの条件を満たす端末数が一定範囲内であること、個別警告条件の警告条件ＩＤ＝ｃの条件を満たす端末数が一定範囲外であること、個別警告条件の警告条件ＩＤ＝ｃの条件を満たす端末数の割合が一定範囲内であること、個別警告条件の警告条件ＩＤ＝ｃの条件を満たす端末数の割合が一定範囲外であること等のいずれかあるいは組み合わせである。
【００５１】
グループ警告関連値指定情報１２０２はグループアラーム検出部２１５において警告条件の判断に関連が深い情報を指定する情報である。警告条件の判断に関連が深い情報とは、例えば警告条件がグループセンサデータに関連する条件である場合のグループ無更新端末数やグループ代表値、グループ変動値であり、あるいは警告条件が個別警告判定結果に関する条件であった場合の警告判定端末数である。条件対応グループリスト情報１２０３は当該条件にて警告を判断するグループを指定する情報である。例えばグループ警告条件ＩＤ＝ｓの条件対応グループリスト情報１２０３の内容がグループｇ１、グループｇ２及びグループｇ３であった場合、当該警告条件に基づいた判定はｇ１、ｇ２、ｇ３の３つのグループのみを対象として行う。
【００５２】
図１３はグループ警告判定結果テーブル１３１０に保存される情報を示す表である。グループ警告判定結果テーブル１３１０には、グループ警告条件ＩＤ１３００、警告判定グループＩＤ情報１３０１、グループ警告関連値情報１３０２、グループ警告判定結果情報１３０３が含まれる。グループ警告条件ＩＤ１３００はグループ警告条件テーブルのグループ警告条件ＩＤ１２００に相当する。一つのグループ警告条件ＩＤ１３００毎に、グループ警告条件テーブルの条件対応グループリストに指定されるグループ数分の警告判定グループＩＤ情報１３０１、グループ警告関連値情報１３０２、グループ警告判定結果情報１３０３が記録される。例えばグループ警告条件テーブルの条件対応グループリストｓにグループｇ１、グループｇ２、グループｇ３の３つのグループが指定されている場合、警告判定グループＩＤｓ−１にはグループｇ１が、警告判定グループＩＤｓ−２にはグループｇ２が、警告判定グループＩＤｓ−３にはグループｇ３が記録され、それぞれについてグループ警告関連値情報１３０２及びグループ警告判定結果情報１３０３が記録される。
【００５３】
グループ警告関連値情報１３０２はグループ警告条件テーブルのグループ警告関連値指定情報１２０２にて指定された情報が記録される。例えばグループ警告関連値指定ｓにてグループ代表値が指定され、警告判定グループＩＤｓ−１にグループｇ１が記録されている場合には、グループ警告関連値ｓ−１には、グループセンサデータ記録テーブルに保存されていたグループ代表値ｇ１が記録される。グループ警告判定結果情報１３０３はグループアラーム検出部２１５におけるグループアラーム検出部のアラーム検出結果が記録される。グループアラーム検出部により、当該グループ警告条件及び当該グループが警告条件を満たすと判断された場合、グループ警告判定結果には警告条件を満たすことを示す値、例えば１が記録される。またグループアラーム検出部により、当該グループ警告条件及び当該グループが警告条件を満たさないと判断された場合、グループ警告判定結果には警告条件を満たさないことを示す値、例えば０が記録される。
【００５４】
図１４はグループアラーム検出部におけるグループアラーム検出処理の流れの一例である。グループアラーム検出処理では、まず処理１４００においてグループ警告判定結果テーブルの初期化処理として、テーブル内容の削除を行う。次いで１４０１から１４１３まで、グループ警告条件ＩＤであるｓ＝１からＳまで（Ｓは全グループ警告条件数）、グループＩＤであるｇ＝１からＧまで（Ｇは全グループ数）についての繰り返し処理を行う。
【００５５】
繰り返し処理の内部ではまず処理１４０２においてグループ警告条件テーブルから条件対応グループリストｓを取得する。ついで分岐処理１４０３においてグループＩＤ＝ｇが処理１４０２にて取得したグループリストｓに含まれるか否かを判定する。含まれていなかった場合にはグループ警告条件ＩＤ＝ｓかつグループＩＤ＝ｇについての繰り返し処理を終了し、含まれていた場合には次に処理１４０４を実行する。処理１４０４ではグループ警告条件テーブルからグループ警告条件ｓを取得する。次いで処理１４０５にて、グループ警告判定結果テーブルのグループ警告条件ＩＤ＝ｓに対応する警告判定グループＩＤ情報にグループＩＤ＝ｇを記録する。
【００５６】
次いで分岐１４０６においてグループ警告条件ｓがグループセンサデータに関連する条件であるか、個別警告判定結果に関する条件であるかを判断し、グループセンサデータに関連する条件であれば処理１４０７に、個別警告判定結果に関する条件であれば処理１４０８に移行する。処理１４０７では、グループセンサ記録テーブルからグループ無更新端末数ｇ、グループ代表値ｇ、グループ変動値ｇを取得し、処理１４０９に移行する。処理１４０８では、グループ情報テーブルのグループ通信端末リストｇに含まれる端末ＩＤと、個別警告判定結果テーブルのグループ警告条件ｓにて指定している警告条件ｃの警告判定端末ＩＤ情報とを比較し、両方に含まれている端末ＩＤ数をカウントし、処理１４０９に移行する。
【００５７】
処理１４０９では、グループ警告関連値指定にて指定された情報をグループ警告判定結果テーブルのグループ警告関連値情報に記録する。次いで分岐１４１０では、処理１４０７あるいは処理１４０８にて取得した値がグループ警告条件ｓを満たすか否かの判定を行い、条件を満たす場合には処理１４１１に、条件を満たさない場合には処理１４１２に分岐する。処理１４１１では、グループ警告判定結果テーブルのグループ警告判定結果に警告条件を満足することを表す値、例えば１を記録し、グループ警告条件ＩＤ＝ｓかつグループＩＤ＝ｇについての繰り返し処理を終了する。処理１４１２では、グループ警告判定結果テーブルのグループ警告判定結果に警告条件を満足しないことを表す値、例えば０を記録し、グループ警告条件ＩＤ＝ｓかつグループＩＤ＝ｇについての繰り返し処理を終了する。以上が図１４の説明である。
【００５８】
図２に戻り、フィルタ選択部２２１は、ネットワーク相互接続装置制御部２００から取得した優先度指定テーブル１５１０及びネットワーク品質判定部２０３から通知されたネットワーク品質値、広域ネットワーク通信部２０２から通知された送信信号指示、個別アラーム検出部２１３から取得する個別警告判定結果テーブル、グループアラーム検出部２１５から取得するグループ警告判定結果テーブルをもとに、広域ネットワーク１５０を通じて管理センタ１３０に対して報告する情報を決定し、フィルタ選択テーブルをフィルタ部２２２に対して通知する。
【００５９】
図１５は優先度指定テーブル１５１０に保存される情報を示す表である。優先度指定テーブルは、ネットワーク相互接続装置１１０から管理センタ１３０へ送信する情報の種類と優先度を指定するテーブルであり、報告優先度１５００、報告種別情報１５０１、報告オプション情報１５０２が含まれる。報告優先度１５００は対応する報告種別情報１５０１及び報告オプション情報１５０２にて指定する情報の優先度を指定する値である。なお、優先度が高い、すなわちネットワーク相互接続装置１１０から管理センタ１３０に対して優先して送信すべき情報ほど、優先度指定テーブルにおける報告優先度１５００の値は小さい値となる。
【００６０】
報告種別情報１５０１は報告内容の種別を指定する情報である。例えば報告内容がグループ警告関連報告情報であるという指定とグループ警告条件ＩＤ、あるいは個別警告関連報告情報であるという指定と警告条件ＩＤ、あるいは最新センサ測定状況報告情報であるという指定と報告する通信端末ＩＤもしくはＩＤ範囲の指定、あるいはセンサ時系列報告情報であるという指定と報告する通信端末ＩＤもしくはＩＤ範囲の指定、あるいは管理センタ１３０からの要求情報であるという指定等である。報告オプション情報１５０２は各報告内容に含む情報及び情報を含む条件を指定する情報である。例えば報告にある情報を含むか否か、あるいは報告情報がリストの場合に全情報を報告するか特定の条件を満たす情報のみを報告するか否か、あるいは報告する値の桁数といった情報である。また報告オプション情報１５０２には、通常のデータ送信時の報告オプションに加え、データ量削減時に使用する縮小データ送信時用の報告オプションが含まれてもよい。
【００６１】
図１６はフィルタ選択部におけるフィルタ選択処理の流れの一例である。フィルタ選択処理では、まず処理１６００においてネットワーク品質判定部２０３から通知されたネットワーク品質値から最大データ量Ｒを作成する。ここで、最大データ量Ｒとは、ネットワーク品質値と正の相関を持つ値である。例えばネットワーク品質値がおおよそｘ[ｂｉｔ／秒]程度の通信速度に対応し、前回のフィルタ選択部の動作から今回のフィルタ選択部の動作までの経過時間がｙ[秒]であった場合、Ｒはｘとｙとの積に１以下の定数を乗じた値として求めることが出来る。次いで処理１６０１では、報告データ量を示す変数ｒを０に初期化する。
【００６２】
ついでフィルタ選択処理では処理１６０２から１６０７まで、優先度指定テーブルの報告優先度であるｐ＝１からＰまで（Ｐは優先度指定テーブルの全報告優先度数）についての繰り返し処理を行う。ただし、本繰り返し処理は後述の条件分岐により繰り返し処理の途中にて処理を中断することがありうる。
【００６３】
繰り返し処理の内部ではまず処理１６０３において、報告優先度ｐの報告内容のデータサイズであるｒｐを求める。次いで分岐１６０４にて、ｒとｒｐとの和がＲ以下であるか否かの判定を行う。ｒとｒｐとの和がＲ以下であった場合は処理１６０５に、それ以外の場合には分岐１６０８に分岐する。処理１６０５では、報告優先度ｐのデータ送信をフィルタ部２２２に通知する。次いで処理１６０６では報告データ量を示す変数ｒにｒｐを加算して、報告優先度＝ｐについての繰り返し処理を終了する。
【００６４】
分岐１６０８では、報告優先度ｐの報告オプションｐに縮小データ送信時用の報告オプションが含まれるか否かを判定し、含まれる場合には処理１６０９に、含まれない場合には処理１６１２に分岐する。処理１６０９では、報告優先度ｐの縮小データ送信時用の報告オプションを元に縮小データ送信時の報告内容のデータサイズであるｒｐ’を求める。次いで分岐１６１０ではｒとｒｐ’との和がＲ以下で合った場合には処理１６１１に、それ以外の場合には処理１６１２に分岐する。処理１６１２では、報告優先度ｐの縮小データ送信をフィルタ部２２２に通知し、処理１６１２に移行する。処理１６１２では、優先度指定テーブルの報告優先度ｐに関する繰り返し処理の途中であっても繰り返し処理を中止し、フィルタ選択処理を終了する。以上が図１６の説明である。
【００６５】
図２に戻り、フィルタ部２２２は、フィルタ選択部２２１から通知された情報を元に、センサデータ記録部２１１、最新センサデータ抽出部２１２、個別アラーム検出部２１３、グループアラーム検出部２１５から情報を収集し、グループ警告関連報告情報１７１０、個別警告関連報告情報１８１０、最新センサ測定状況報告情報１９１０、センサ時系列報告情報２０１０などを作成し、広域ネットワーク通信部２０２に対して送付する。
【００６６】
図１７はグループ警告関連報告情報１７１０を示す図である。グループ警告関連報告情報にはヘッダ１７００、グループ警告条件ＩＤ１７０１が含まれ、さらにグループ警告判定数１７０２、グループ警告判定結果リスト１７０３、グループ警告関連値リスト１７０４の各フィールドいずれかもしくは組み合わせが含まれうる。
【００６７】
ヘッダ１７００はグループ警告関連報告情報に含まれる情報を示す。グループ警告条件ＩＤ１７０１はグループ警告条件テーブルのグループ警告条件ＩＤ１２００に対応する。グループ警告判定数１７０２は対応するグループ警告条件を満たすグループの数であり、グループ警告判定結果テーブルの当該グループ警告条件ＩＤのグループ警告判定結果情報１３０３に警告条件を満たすと示されているグループの数である。グループ警告判定結果リスト１７０３は、グループ警告判定結果テーブルの当該グループ警告条件ＩＤのグループ警告判定結果情報１３０３に対応する。グループ警告関連値リスト１７０４はグループ警告判定結果テーブルの当該グループ警告条件ＩＤのグループ警告関連値情報１３０２に対応する。
【００６８】
グループ警告判定数１７０２に対しては、報告の有無の選択が指定可能である。グループ警告判定結果リスト１７０３に対しては、全グループの値をリストとして報告する、グループ警告判定条件を満足するグループのみをリストとして報告する、報告しない、のいずれかが指定可能である。グループ警告関連値リスト１７０４に対しては、全グループの値をリストとして報告する、グループ警告条件を満足するグループの値のみをリストとして報告する、報告しない、のいずれかが指定可能である。またグループ警告関連値リスト１７０４を報告しない場合以外には、報告値の桁数が指定可能である。
【００６９】
グループ警告関連報告情報の縮小データ送信時用には、通常のデータ送信時用のオプションよりも送信データ量が少なくなるようにオプション１７１５を選択する。例えば通常のデータ送信時よりも、縮小データ送信時にはグループ警告関連値リスト１７０４の報告値の桁数を小さくする。あるいは例えば通常のデータ送信時にはグループ警告判定結果リスト１７０３やグループ警告関連値リスト１７０４を全リスト送信とし、縮小データ送信時にはグループ警告判定条件を満足するグループのみ送信とするように、送信条件を変更することでデータ量を少なくする。あるいは例えば通常のデータ送信時にはグループ警告判定結果リスト１７０３を送信し、縮小データ送信時にはグループ警告判定数１７０２を送信するように、情報量を少ない項目を選択することでデータ量を少なくする。
【００７０】
図１８は個別警告関連報告情報１８１０を示す図である。個別警告関連報告情報には、ヘッダ１８００、警告条件ＩＤ１８０１が含まれ、さらに警告判定端末数１８０２、警告判定結果リスト１８０３、警告関連値リスト１８０４の各フィールドいずれかもしくは組み合わせが含まれうる。
【００７１】
ヘッダ１８００は個別警告関連報告情報に含まれる情報を示す。警告条件ＩＤ１８０１は個別警告条件テーブルの警告条件ＩＤ６００に対応する。警告判定端末数１８０２は個別警告判定結果テーブルの当該警告条件ＩＤの警告判定端末数情報７０１に対応する。警告判定結果リスト１８０３は個別警告判定結果テーブルの当該警告条件ＩＤの警告判定端末ＩＤ情報７０２に対応する。警告関連値リスト１８０４は個別警告判定結果テーブルの当該警告条件ＩＤの警告関連値情報７０３に対応する。
【００７２】
警告判定端末数１８０２に対しては、報告の有無の選択が指定可能である。警告判定結果リスト１８０３に対しては、全通信端末の値をリストとして報告する、警告判定条件を満足する通信端末のみをリストとして報告する、報告しない、のいずれかが指定可能である。警告関連値リスト１８０４に対しては、全通信端末の値をリストとして報告する、警告条件を満足する端末の値のみをリストとして報告する、報告しない、のいずれかが指定可能である。また警告関連値リスト１８０４を報告しない場合以外には、報告値の桁数が指定可能である。
【００７３】
個別警告関連報告情報の縮小データ送信時用には、通常のデータ送信時用のオプションよりも送信データ量が少なくなるように各フィールドのオプション１８１５を選択する。例えば通常のデータ送信時よりも、縮小データ送信時には警告関連値リスト１８０４の報告値の桁数を小さくする。あるいは例えば通常のデータ送信時には警告判定結果リスト１８０３や警告関連値リスト１８０４を全リスト送信とし、縮小データ送信時には警告判定条件を満足する通信端末のみ送信とするように、送信条件を変更することでデータ量を少なくする。あるいは例えば通常のデータ送信時には警告判定結果リスト１８０３を送信し、縮小データ送信時には警告判定端末数１８０２を送信するように、情報量を少ない項目を選択することでデータ量を少なくする。
【００７４】
図１９は最新センサ測定状況報告情報１９１０を示す図である。最新センサ測定状況報告情報には、ヘッダ１９００、通信端末ＩＤリスト１９０１が含まれ、最新センサ値リスト１９０２、差分センサ値リスト１９０３、無更新継続情報リスト１９０４の各フィールドいずれかもしくは組み合わせが含まれうる。
【００７５】
ヘッダ１９００は最新センサ測定状況報告情報に含まれる情報を示す。通信端末ＩＤリスト１９０１、最新センサ値リスト１９０２、差分センサ値リスト１９０３、無更新継続情報リスト１９０４はそれぞれ最新センサデータ記録テーブルの通信端末ＩＤ５００、最新センサ値情報５０１、差分センサ値情報５０２、無更新継続情報５０３に対応する。
【００７６】
最新センサ値リスト１９０２、差分センサ値リスト１９０３、無更新継続情報リスト１９０４に対しては、報告の有無の選択が指定可能である。また最新センサ値リスト１９０２、差分センサ値リスト１９０３それぞれを報告しない場合以外には、報告値の桁数が指定可能である。無更新継続情報リスト１９０４に対しては、通常の値を報告するか、あるいは閾値以上であるか未満であるかの２値判定結果を報告するかの指定が可能である。
【００７７】
最新センサ測定状況報告情報の縮小データ送信時用には、通常のデータ送信時用のＩＤ範囲及びオプションよりも送信データ量が少なくなるようにＩＤ範囲１９０１及び各フィールドのオプション１９１５を選択する。例えば通常のデータ送信時よりも、縮小データ送信時には最新センサ値リスト１９０２及び差分センサ値リスト１９０３の報告値の桁数を小さくする。あるいは例えば差分センサ値リスト１９０３や無更新継続情報リスト１９０４を通常のデータ送信時には送信し、縮小データ送信時には送信しないように、送信する項目を削減する。あるいは例えば通常のデータ送信時には全ての通信端末のデータを送信し、縮小データ送信時には一部のＩＤの通信端末に関するデータのみを送信するように、データを送信する通信端末数を削減する。
【００７８】
図２０はセンサ時系列報告情報２０１０を示す図である。センサ時系列報告情報には、ヘッダ２０００、通信端末ＩＤリスト２００１、時刻情報リスト２００２、センサ値リスト２００３が含まれる。
【００７９】
ヘッダ２０００はセンサ時系列報告情報に含まれる情報を示す。通信端末ＩＤリスト２００１、時刻情報リスト２００２、センサ値リスト２００３はそれぞれセンサデータ記録テーブルの通信端末ＩＤ４００、時刻情報４０１、センサ値情報４０２に対応する。
【００８０】
センサ値リスト２００３は報告値の桁数が指定可能である。センサ時系列報告情報の縮小データ送信時用には、通常のデータ送信時用のＩＤ範囲及びオプションよりも送信データ量が少なくなるようにＩＤ範囲及びオプション２０１５を選択する。例えば通常のデータ送信時よりも、縮小データ送信時にはセンサ値リスト２００３の報告値の桁数を小さくする。あるいは例えば通常のデータ送信時には全ての通信端末のデータを送信し、縮小データ送信時には一部のＩＤの通信端末に関するデータのみを送信するように、データを送信する通信端末数を削減する。
【００８１】
なお、グループ警告関連報告情報、個別警告関連報告情報、最新センサ測定状況報告情報、センサ時系列報告情報のいずれについても、データの順序についてはどのような順番であってもよい。また同一の送信条件にて複数のリストを送信する場合には複数の報告値をまとめた情報をリストとして送信してもよい。
【００８２】
上述の制御のほか、ネットワーク相互接続装置制御部２００ではまた、送信状況を用いて未送信信号の自発的な送信を制御してもよい。この場合、優先度指定テーブルに報告優先度１５００の値が大きい、すなわち優先度の低い報告情報として、報告種別情報１５０１に未送信データの送信を登録する。フィルタ選択処理にて未送信データの送信をフィルタ部２２２に通知するという判断が行われた場合には、フィルタ部２２２ではセンサデータ記録部２１１からセンサデータ記録テーブルの送信状況４０３が未送信を表す値となっているデータを取得し、センサ時系列報告情報を作成して送信する。また、ネットワーク相互接続装置制御部２００は信号送信済みと判断した場合、センサデータ記録部２１１に対して当該データ信号の送信済みを通知し、センサデータ記録部２１１ではセンサデータ記録テーブルの当該データに関する送信状況を送信済みを表す値、例えば１に設定する。
【００８３】
またネットワーク相互接続装置制御部は、データ信号をフィルタ部２２２または広域ネットワーク通信部２０２から送信した時点で、あるいはデータ信号に対する受信応答を広域ネットワーク通信部２０２にて受信した時点で、当該データ信号を送信済みと判断する。また、センサデータ記録テーブルの送信状況判断には、直接センサ時系列報告情報として送信した信号のみを用いてもよい。あるいはセンサデータ記録テーブルを元に作られた情報、例えば最新センサ測定状況報告情報として送信した信号をもとに、１ないしは複数のセンサデータ記録テーブルの送信状況を送信済みと判断してもよい。
【００８４】
図２１は優先度指定テーブル２１１０に保存される情報の一例を示す表である。ネットワーク品質判定部２０３にて判定したネットワーク品質が十分高い場合には表中全ての優先度の情報がネットワーク相互接続装置１１０から管理センタ１３０に対して送信される。ネットワーク品質が十分ではない場合には、当該ネットワーク品質にて送信可能な情報のみが、優先度が高い、即ち報告優先度の値が小さい順に選択され、送信される。
【００８５】
報告優先度１として２１００に記載される報告種別情報及び報告オプション情報により、ネットワーク相互接続装置１１０はグループ警告条件ＩＤ＝１に指定される警告条件を満たすグループ数を最も高い優先度で管理センタ１３０に対して送信する。
【００８６】
報告優先度２として２１０１に記載される報告種別情報及び報告オプション情報により、ネットワーク相互接続装置１１０はグループ警告条件ＩＤ＝２に指定される警告条件によるグループ判定結果及びグループ警告関連値を２番目に高い優先度で管理センタ１３０に対して送信する。またネットワーク品質が十分ではない場合には、警告条件を満たすグループのみについての情報を管理センタ１３０に対して送信する。
【００８７】
報告優先度３として２１０２に記載される報告種別情報及び報告オプション情報により、ネットワーク相互接続装置１１０は管理センタからの要求に応じた情報を３番目に高い優先度で管理センタ１３０に対して送信する。
【００８８】
報告優先度４として２１０３に記載される報告種別情報及び報告オプション情報により、ネットワーク相互接続装置１１０は個別警告条件ＩＤ＝１に指定される警告条件を満たす通信端末数及び警告条件を満たす通信端末のＩＤ及び警告関連値情報を４番目に高い優先度で管理センタ１３０に対して送信する。またネットワーク品質が十分ではない場合には、警告関連値の桁数を削減して管理センタ１３０に対して送信する。
【００８９】
報告優先度５として２１０４に記載される報告種別情報及び報告オプション情報により、ネットワーク相互接続装置１１０は全通信端末の最新センサ測定状況を５番目に高い優先度で管理センタ１３０に対して送信する。
【００９０】
報告優先度６として２１０５に記載される報告種別情報及び報告オプション情報により、ネットワーク相互接続装置１１０はセンサデータ記録テーブルの情報のうち、未送信の情報を６番目に高い優先度で管理センタ１３０に対して送信する。
【００９１】
ネットワーク品質が低い等の理由により管理センタ１３０において優先度が低い情報が得られない場合には、管理センタ１３０では優先度が低い情報の中から、例えばすでに受信したグループ警告に関連する個別の通信端末の最新センサ測定状況や、長期間継続して報告がない通信端末の最新センサ測定状況の報告をネットワーク相互接続装置１１０に対して要求する事が可能である。
【００９２】
上記のように警告条件に関わる情報を高い優先度で報告することでネットワーク品質の変動があった場合でも重要な情報は遅滞なく送信することができる。また管理センタ要求事項報告及び未送信データ送信を行うことにより、ネットワーク品質に余裕がある場合に品質低下時の送信不可であった情報の補償を行うことが出来る。
【００９３】
なお上記実施例に示した部の切り分けとテーブルに記録する情報についてはあくまで一例であり、ネットワーク相互接続装置全体として同等の部を実現できるのであれば他の構成であってもよい。
【００９４】
また上記実施例において、ある部から他の部へデータを渡すとは渡される側の部が当該データを参照可能な状態になりさえすれば良いため、渡されるデータはデータの値そのものであっても良いし、データの所在を示すポインタであっても良い。同様に、各部におけるテーブル内のデータはデータの値そのものであっても良いし、データへのポインタであっても良い。
【００９５】
また上記実施例において、テーブルや通信内容に各種ＩＤを含んでいるが、例えばデータ構造上順番等から区別可能な場合には明示的にＩＤを示すフィールドを含む必要はない。
【００９６】
また上記実施例において、センサデータ記録テーブルに送信状況を示すフィールドを設け、未送信のデータを別途送信する構成について示しているが、最新センサデータ記録テーブルや個別警告判定結果テーブル、グループ警告判定結果テーブルといった他のテーブルについても同様の送信状況を示すフィールドを設けて別途未送信のデータを送信する構成としてもよい。
【００９７】
また上記実施例において、広域ネットワーク１５０を経由するネットワーク相互接続装置１１０から管理センタ１３０への通信をいずれかの通信レイヤで複数化してもよい。この場合、広域ネットワーク通信部２０２では管理センタ１３０との間に複数のリンクを張り、送信データによってリンクを使い分ける。例えば複数のリンクとして異なる物理層を持つ通信リンクを２つ用意し、優先度指定テーブルで優先度が一定以上の報告と優先度が一定未満の報告とで異なる通信リンクを用いることができる。
【００９８】
図２２は、ネットワーク相互接続装置１１０のハードウェア構成例である。ネットワーク相互接続装置１１０は、広域ネットワーク通信インターフェース２２０２、ローカルネットワーク通信インターフェース２２０１、制御部２２６０、メモリ２２５０、データメモリ２２７０を有する。
【００９９】
広域ネットワーク通信インターフェース２２０２は、図２の２０２に対応し広域ネットワーク１５０に接続され、管理センタとのデータ送受信を行う。
ローカルネットワーク通信インターフェース２２０１は、図２の２０１に対応し広域ネットワーク１４０に接続され、管理センタとのデータ送受信を行う。
【０１００】
メモリは、図２の各部２０３、２１２，２１３，２１４，２１５，２００，２１１，２２１，２２２に対応するプログラム２２０３，２２１２，２２１３，２２１４，２２１５，２２００，２２１１，２２２１，２２２２が格納されている。データメモリ２２７０は、図２と同様のテーブルが保持されている。
【０１０１】
制御部２２６０は、メモリ２２５０から各プログラムを読み出し、図２の各部に対応する処理を実行し、ローカルネットワーク１４０を介して収集される監視対象に関するデータを集計し、集計結果と、広域ネットワーク１５０の状況とに基づいて、集計されたデータあるいは収集データの少なくとも一方を、広域ネットワーク通信インターフェース２２０２を介して管理センタに送出する。
【０１０２】
本実施例によれば、モニタリングシステムにおいてネットワークの容量を十分に活用しつつ、ネットワーク容量の不足時及び変動時にもアラーム判定処理に必要なデータ通信を確保することができる。また、従量課金制のネットワークを使用する場合にはその通信コストを抑えることができる。本実施例は、センサや監視カメラを利用したモニタリングシステム、特に広帯域網の帯域制限を考慮した優先度制御を行うモニタリング技術として有用である。
【符号の説明】
【０１０３】
１１０  ネットワーク相互接続装置
１２０  通信端末
１３０  管理センタ
１４０  ローカルネットワーク
１５０  広域ネットワーク
２００  ネットワーク相互接続装置制御部
２０１  ローカルネットワーク通信部
２０２  広域ネットワーク通信部
２０３  ネットワーク品質判定部
２１１  センサデータ記録部
２１２  最新センサデータ抽出部
２１３  個別アラーム検出部
２１４  グループセンサデータ記録部
２１５  グループアラーム検出部
２２１  フィルタ選択部
２２２  フィルタ部
【図１】
0005759773.tif 000002
【図２】
0005759773.tif 000003
【図３】
0005759773.tif 000004
【図４】
0005759773.tif 000005
【図５】
0005759773.tif 000006
【図６】
0005759773.tif 000007
【図７】
0005759773.tif 000008
【図８】
0005759773.tif 000009
【図９】
0005759773.tif 000010
【図１０】
0005759773.tif 000011
【図１１】
0005759773.tif 000012
【図１２】
0005759773.tif 000013
【図１３】
0005759773.tif 000014
【図１４】
0005759773.tif 000015
【図１５】
0005759773.tif 000016
【図１６】
0005759773.tif 000017
【図１７】
0005759773.tif 000018
【図１８】
0005759773.tif 000019
【図１９】
0005759773.tif 000020
【図２０】
0005759773.tif 000021
【図２１】
0005759773.tif 000022
【図２２】
0005759773.tif 000023